(57)【特許請求の範囲】
【請求項１】
年次または永久カレンダ機構であって、
−日可動装置（２３）であって、月の３１日のうちの一つとそれぞれが関連している３１の連続する角度位置の間を回転し、またＶ字形の刻み目（６３）と、３１個の歯（６１、６２、６４）を有する日歯車（２３）とを備える日可動装置、
−月可動装置（２５）であって、年の１２ヶ月のうちの一つとそれぞれが関連している連続する角度位置の間を回転し、月可動装置（２５）が有する角度位置の数と同数の歯（７０）を有する月歯車（２５）を備え、また、それぞれが一つの月と関連していて、月可動装置（２５）がこの月と関連している角度位置にあるとき進行開始位置を制御するために使用可能な進行開始部ストッパ（７６）を定義する月可動装置、
−ある月の末日（６２）からその翌月の初日への日可動装置（２３）の移行の度ごとに、月可動装置（２５）をある月からその翌月に移行させる一段の作動を、月歯車（２５）の歯（７０）のうちの一つにもたらすための作動フィンガ（６）、
−前記進行開始位置を起点として、一日に一度作動されるように備えられるレバー（２１）、
−レバー（２１）によって支えられ、また二つの爪フィンガを備える操作装置（２２、４５、４９）であって、該二つの爪フィンガとはすなわち、
●第一の爪フィンガ（５０）であって、レバー（２１）の作動のたびに、日可動装置（２３）を月のある日からその３１の連続する位置の中の一つであるその翌日に移行させる一段の作動を、日歯車（２３）の３１個の歯（６１、６２、６４）のうちの一つにもたらすためのもの、および
●第二の爪フィンガ（５１）であって、３１日より少ない月の終わりでのこのレバー（２１）の作動の際に、レバー（２１）の進行開始位置によって決定される段の全数分だけの日可動装置（２３）の作動を、Ｖ字形の刻み目（６３）にもたらすためのもの、
を有し、
日歯車（２３）の３１個の歯（６１、６２、６４）のそれぞれが、この日歯車（２３）の外周縁（６０）が形成する輪郭を有し、
日歯車（２３）の外周縁（６０）がまた、日歯車（２３）の３１個の歯（６１、６２、６４）のうちの二つの連続する歯（６１、６４）の間に位置付けられる前記Ｖ字形の刻み目（６３）も形成することを特徴とする年次または永久カレンダ機構。
【請求項２】
日歯車（２３）の３１個の歯（６１、６２、６４）が、第一のタイプの３０個の歯（６１、６２）および第二のタイプの一つの歯（６４）から成り、第一のタイプの各歯（６１、６２）が、頂上および後面（６５）を有するが、該後面が、第二の爪フィンガ（５１）によってではなく第一の爪フィンガ（５０）によって引っ掛けられることができるように、この頂上から遠ざかりながら後方に次第に広がるものであり、第二のタイプの歯（６４）が、頂上とＶ字形の刻み目（６３）の境界を定める後面（６６）とを有するが、該後面（６６）が、該第二のタイプの歯（６４）が、実に第一の爪フィンガ（５０）によっても第二の爪フィンガ（５１）によっても引っ掛けられることができるように、この頂上から遠ざかりながら前方に次第に広がるものであることを特徴とする、請求項１に記載の年次または永久カレンダ機構。
【請求項３】
月歯車（２５）の歯（７０）のそれぞれが、この月歯車（２５）の外周縁（７１）が形成する輪郭を有し、月歯車（２５）のこの外周縁（７１）がまた、月歯車（２５）の歯（７０）と交互に並ぶ溝（７２〜７５）の底部である前記進行開始部ストッパ（７６）も形成することを特徴とする、請求項１または２に記載の年次または永久カレンダ機構。
【請求項４】
日歯車（２３）、月歯車（２５）、レバー（２１）、および操作装置（２２、４５、４９）が、同一平面（Ｐ1）内に広がることを特徴とする、請求項３に記載の年次または永久カレンダ機構。
【請求項５】
レバー（２１）が、前記溝（７２〜７５）のうちの任意の溝（７２〜７５）の中に挿入されるように、また進行開始位置における、この溝（７２〜７５）の底部（７６）によって止められるように構成されるフィーラー（４４）を有し、３１日未満の月と関連している溝（７３〜７５）のそれぞれが、月歯車（２５）の二つの連続する歯（７０）の間に位置する入口（７７）と、これらの二つの連続する歯（７０）から離れて位置しまた入口（７７）に対して広くなった部分（７８）とを有することを特徴とする、請求項３または４に記載の年次または永久カレンダ機構。
【請求項６】
レバー（２１）が、前記溝（７２〜７５）のうちの任意の溝（７２〜７５）の中に挿入されるように、また進行開始位置における、この溝（７２〜７５）の底部（７６）によって止められるように構成されるフィーラー（４４）を有し、フィーラー（４４）が、一様な、かつレバー（２１）の揺動軸（Ｘ1−Ｘ’1）を中心とする湾曲を有し、少なくとも、３１日未満の月と関連している溝（７３〜７５）が、それぞれが、それらの全長に、フィーラー（４４）と同じ変わらない湾曲を有することを特徴とする、請求項３から５のいずれか一つに記載の年次または永久カレンダ機構。
【請求項７】
月歯車（２５）の歯（７０）と噛み合いまた当月の表示盤と関連している小歯車（２６）を備えることを特徴とする、請求項３から６のいずれか一つに記載の年次または永久カレンダ機構。
【請求項８】
レバー（２１）に枢着されまたこのレバー（２１）のストッパ（５２）に対して弾性的に付勢される同部品（２２）が、第一の爪フィンガ（５０）および第二の爪フィンガ（５１）の両方を定義し、該第二の爪フィンガが、第一の爪フィンガ（５０）による日歯車（２３）の歯（６１、６２、６４）の前進方向を考慮すると、第一の爪フィンガ（５０）に対して下流にオフセットされることを特徴とする、請求項１から７のいずれか一つに記載の年次または永久カレンダ機構。
【請求項９】
第一および第二の爪フィンガ（５０、５１）のうちの少なくとも一つを定義する部品（２２）が、円筒形の収容場所（４６）および相補的な円筒形のヘッド（４７）を有する円筒形の関節接合部（４５）によって、レバー（２１）に枢着され、円筒形の収容場所（４５）が、円筒形の収容場所（４６）の中の円筒形のヘッド（４７）の揺動軸（Ｘ2−Ｘ’2）を中心にして一方が他方に対して角度的にオフセットされた二つの位置の間で、半径方向の通路（５３）で半径方向に開いており、円筒形のヘッド（４７）が、半径方向の通路（５３）を通る頸部（４８）によって支えられることを特徴とする、請求項１から８のいずれか一つに記載の年次または永久カレンダ機構。
【請求項１０】
日歯車（２３）および月歯車（２５）が、同一平面内に広がり、日歯車（２３）の歯のうちの一つ（６２）が、この日歯車（２３）のその他の歯（６１、６４）よりも半径方向にさらに突き出ており、前記作動フィンガ（６２）を形成することを特徴とする、請求項１から９のいずれか一つに記載の年次または永久カレンダ機構。
【請求項１１】
請求項１から１０のいずれか一つに記載の年次または永久カレンダ機構（２）を備える時計。
【発明の詳細な説明】
【技術分野】
【０００１】
本発明は、時計製造の分野に関するものである。より詳細には、本発明は、年次または永久カレンダ機構、並びにそのような機構を備える時計に関している。
【背景技術】
【０００２】
時計は、現在の日付に関するかつその月のその日を有する一つ以上の情報を示す表示盤を備えることができる。この表示盤は、時計のムーブメントによって駆動される、年次カレンダ機構または永久カレンダ機構のような機構によって制御される。
【０００３】
年次カレンダ機構は、グレゴリオ暦における３１日より少ない月の存在を考慮に入れ、これらの月のそれぞれの終わりに、その月の単数または複数の余分の日が翌月の最初の日になるまですばやく進む修正を行う。永久カレンダ機構は、年次カレンダ機構と同じ修正、並びにうるう年の２月の際に２９日目を加える修正を行う。
【０００４】
米国特許第４６７４８８９号明細書の中に記述されるのは、永久カレンダ機構であり、該機構において、日歯車は３１個の歯を有し、該歯はそれぞれある日からその翌日への移行の間に第一の爪から一段分の動作を受けるように備えられる。この日歯車は、日可動装置の一部を形成するものであり、該日可動装置の一部は、同様に渦巻カムを有し、該渦巻カムの二つの端は、第二の爪が３１日より少ない月の終わりに修正を行うことを可能にするＶ字形の刻み目で隔てられている。一つの同じレバーが、第一の爪および第二の爪を支える。月歯車は、その周囲の凹凸形の作用によって、月の変更の度ごとに一段の割合で、日可動装置の動きから駆動される。月歯車は、カムと一体になっており、該カムは、レバーの動きの振幅を調節し、また、このように各月について修正が行われるべきかどうか、また修正が必要な場合、何日間の修正が必要なのかを決定する。
【０００５】
前述の米国特許第４６７４８８９号明細書の中で記述される永久カレンダ機構は、多数の部品を有し、ある程度のかさを有する。このかさは、永久カレンダ機構を組み込む時計の厚さおよびかさばりに影響を及ぼす可能性がある。目下の事情では、美的理由および／または着け心地の理由のために、時計の厚さおよび／またはボリュームが大きすぎないことが求められている。
【発明の概要】
【０００６】
本発明は、年次または永久カレンダ機構が有するかさばりの少なくとも一つの範囲を局部的にまたは全体で減らすことを可能にすることを少なくとも目的とする。
【０００７】
本発明によると、この目的は、以下を備える年次または永久カレンダ機構によって達成される
−日可動装置であって、月の３１日のうちの一つとそれぞれが関連している３１の連続する角度位置の間を回転し、またＶ字形の刻み目と３１個の歯を有する日歯車とを備えている日可動装置、
−月可動装置であって、年の１２ヶ月のうちの一つとそれぞれが関連している連続する角度位置の間を回転し、月可動装置が有する角度位置の数と同数の歯を有する月歯車を備え、また、それぞれが一つの月と関連していて、月可動装置がこの月と関連している角度位置にあるとき進行開始位置を制御するために使用可能な進行開始部ストッパを定義している月可動装置、
−ある月の末日からその翌月の初日への日可動装置の移行の度ごとに、月可動装置をある月からその翌月に移行させる一段の作動を、月歯車の歯のうちの一つにもたらすための作動フィンガ、
−前記進行開始位置を起点として、一日に一度作動されるように備えられるレバー、
−レバーによって支えられ、また二つの爪フィンガを備える操作装置であって、該二つの爪フィンガとはすなわち、
●第一の爪フィンガであって、レバーの作動のたびに、日可動装置を月のある日からその３１の連続する位置の中の一つであるその翌日に移行させる一段の作動を、日歯車の３１個の歯のうちの一つにもたらすためのもの、および
●第二の爪フィンガであって、３１日より少ない月の終わりでのこのレバーの作動の際に、レバーの進行開始位置によって決定される段の全数分の日可動装置の作動を、Ｖ字形の刻み目にもたらすためのものである。
【０００８】
日歯車の３１個の歯のそれぞれは、この日歯車の外周縁が形成する輪郭を有する。日歯車の外周縁はまた、日歯車の３１個の歯のうちの二つの連続する歯の間に位置付けられる前記Ｖ字形の刻み目も形成する。
【０００９】
したがって、日歯車は、日可動装置となることができ、その厚さは、したがって一つの歯車の厚さに減らすことができる。
【００１０】
上に定義された年次または永久カレンダ機構は、とりわけ以下に引用される中の単数または複数の他の有利な特徴を、単独でまたは組み合わせて、組み込むことができる。
【００１１】
好ましくは、日歯車の３１個の歯は、第一のタイプの３０個の歯および第二のタイプの１個の歯から成る。第一のタイプの各歯は、頂上および後面を有するが、該後面は、第二の爪フィンガによってではなく第一の爪フィンガによって引っ掛けられることができるように、この頂上から遠ざかりながら後方に次第に広がるものである。第二のタイプの歯は、頂上とＶ字形の刻み目の境界を定める後面とを有するが、該後面は、該第二のタイプの歯が、ちょうど第一の爪フィンガによっても第二の爪フィンガによっても引っ掛けられることができるように、この頂上から遠ざかりながら前方に次第に広がるものである。
【００１２】
好ましくは、月歯車の歯のそれぞれは、この月歯車の外周縁が形成する輪郭を有する。月歯車の外周縁はまた、月歯車の歯と交互に並ぶ溝の底部である前記進行開始部ストッパも形成する。そのような場合、月歯車は、月可動装置となることができ、その厚さは、したがって一つの歯車の厚さに減らすことができる。
【００１３】
さらに、そうなると、日歯車、月歯車、レバー、および操作装置が同一平面内に広がって、年次または永久カレンダ機構の組立部品が平らになることができること、かつおよそ歯車一つのみの厚さを有することができることを、加えて予測することが有利である。
【００１４】
好ましくは、レバーは、前記溝のうちの任意の溝の中に挿入されるように、また進行開始位置における、この溝の底部によって止められるように構成されるフィーラーを有する。
【００１５】
好ましくは、３１日未満の月と関連している溝のそれぞれは、月歯車の二つの連続する歯の間に位置する入口と、これらの二つの連続する歯から離れて位置し、また入口に対して広くなった部分とを有する。そのような場合、該溝を月歯車の歯の間に入れても、これらの歯をあまり弱めることはなく、また３１日未満の月と関連している溝のうちの一つの中へのフィーラーの挿入の達成に困難を伴う恐れはない。
【００１６】
有利には、フィーラーは、一様な、かつレバーの揺動軸を中心とする湾曲を有する。好ましくは、少なくとも、３１日未満の月と関連している溝は、それぞれが、それらの全長に、フィーラーと同じ一様な湾曲を有する。
【００１７】
好ましくは、年次または永久カレンダ機構は、月歯車の歯と噛み合いまた当月の表示盤と関連している小歯車を備える。そのような場合、月歯車の歯は、順番に作動フィンガから動作を受ける機能と小歯車の作動をもたらす機能とを有する、二つの機能を果たす。その結果、単純化が生じ、スペースの節約が可能となる。
【００１８】
好ましくは、レバーに枢着され、またこのレバーのストッパに対して弾性的に付勢される同部品は、第一の爪フィンガおよび第二の爪フィンガの両方を定義するが、該第二の爪フィンガは、第一の爪フィンガによる日歯車の歯の前進方向を考慮すると、第一の爪フィンガに対して下流にオフセットされる。この場合には、該部品は、部材の数の減少による単純化を可能にする利点および／またはかさばりに関するメリットを有することができる。
【００１９】
有利には、第一および第二の爪フィンガのうちの少なくとも一つを定義する部品は、円筒形の収容場所および相補的な円筒形のヘッドを有する円筒形の関節接合部によって、レバーに枢着される。好ましくは、円筒形の収容場所は、円筒形の収容場所の中の円筒形のヘッドの揺動軸を中心にして一方が他方に対して角度的にオフセットされた二つの位置の間で、半径方向の通路で半径方向に開いている。好ましくは、円筒形のヘッドは、半径方向の通路を通る頸部によって支えられる。このように形成される円筒形の関節接合部は、平らであることができ、また、一平面内に、とりわけ日歯車と同一平面内に広がることができ、このことは、年次または永久カレンダ機構の厚さの減少を可能にすることができる。
【００２０】
好ましくは、日歯車および月歯車は、同一平面内に広がる。そのような場合、日歯車の歯のうちの一つは、好ましくは、この日歯車のその他の歯よりも半径方向にさらに突き出ており、前記作動フィンガを形成する。
【００２１】
独立請求項が、以下を含む年次または永久カレンダ機構であるように、保護される本発明を定義してもよいことが注目されるであろう：
−日可動装置であって、月の３１日のうちの一つとそれぞれが関連している３１の連続する角度位置の間を回転し、またＶ字形の刻み目と３１個の歯を有する日歯車とを備える日可動装置、
−一日に一度作動されるように備えられるレバー、
−レバーによって支えられ、また二つの爪フィンガを備える操作装置であって、該二つの爪フィンガとはすなわち、
●第一の爪フィンガであって、レバーの作動のたびに、日可動装置を月のある日からその３１の連続する位置の中の一つであるその翌日に移行させる一段の作動を、日歯車の３１個の歯のうちの一つにもたらすためのもの、および
●第二の爪フィンガであって、３１日より少ない月の終わりでのこのレバーの作動の際に、レバーの進行開始位置によって決定される段の全数分の日可動装置の作動を、Ｖ字形の刻み目にもたらすためのもの、
を有し、
また、そこにおいて、レバーに枢着されまたこのレバーのストッパに対して弾性的に付勢される同部品が、第一の爪フィンガおよび第二の爪フィンガの両方を定義し、該第二の爪フィンガが、第一の爪フィンガによる日歯車の歯の前進方向を考慮すると、第一の爪フィンガに対して下流にオフセットされる。
【００２２】
独立請求項において、以下を含む年次または永久カレンダ機構であるように、保護される本発明はさらに定義されてもよいことが注目されるであろう：
−日可動装置であって、月の３１日のうちの一つとそれぞれが関連している３１の連続する角度位置の間を回転し、またＶ字形の刻み目と３１個の歯を有する日歯車とを備える日可動装置、
−一日に一度作動されるように備えられるレバー、
−レバーによって支えられ、また二つの爪フィンガを備える操作装置であって、該二つの爪フィンガとはすなわち、
●第一の爪フィンガであって、レバーの作動のたびに、日可動装置を月のある日からその３１の連続する位置の中の一つであるその翌日に移行させる一段の作動を、日歯車の３１個の歯のうちの一つにもたらすためのもの、および
●第二の爪フィンガであって、３１日より少ない月の終わりでのこのレバーの作動の際に、レバーの進行開始位置によって決定される段の全数分の日可動装置の作動を、Ｖ字形の刻み目にもたらすためのもの、
を有し、
また、そこにおいて、第一および第二の爪フィンガのうちの少なくとも一つを定義する部品が、円筒形の収容場所および相補的な円筒形のヘッドを有する円筒形の関節接合部によってレバーに枢着される。円筒形の収容場所が、円筒形の収容場所の中の円筒形のヘッドの揺動軸を中心にして一方が他方に対して角度的にオフセットされた二つの位置の間で、半径方向の通路で半径方向に開いている。円筒形のヘッドが、半径方向の通路を通る頸部によって支えられる。
【００２３】
本発明は、さらに、先に定義された年次または永久カレンダ機構のうちの一つを備える時計を主題として有する。
【図面の簡単な説明】
【００２４】
他の利点および特徴は、非制限的な例として与えられ、また以下のような付属の図面の中で示される、本発明の具体的な実施形態の続いていく説明からより明確に明らかになるであろう。
【００２５】
【図１】平面図、すなわち文字盤側であって、ここには、本発明による永久カレンダ機構が、本発明による腕時計のぜんまい仕掛けのムーブメントに取り付けられている。
【図２】図１に見られる永久カレンダ機構の斜視図である。
【図３】図２と同じ永久カレンダ機構を示す平面図であり、また該図において、この永久カレンダ機構が、うるう年の９月２９日に相当する安定状態にあることが分かる。
【図４】図３に類似している平面図であって、月の変更のない日の変更を示しているが、該図は、二つの中間配置のうちの一つにおける図２の永久カレンダ機構を示しており、該中間配置を経由して、この機構は、その展開の間に図３の安定状態から次の安定状態へ引き続いて進む。
【図５】図３に類似している平面図であって、月の変更のない日の変更を示しているが、該図は、二つの中間配置のうちの一つにおける図２の永久カレンダ機構を示しており、該中間配置を経由して、この機構は、その展開の間に図３の安定状態から次の安定状態へ引き続いて進む。
【図６】図３に類似している平面図であって、該図において、図２のカレンダ機構は、図３の安定状態の次に来る、また、うるう年の９月３０日に相当する安定状態にある。
【図７】図３に類似している平面図であって、月の変更を伴う日の変更を示しており、該図は、二つの中間配置のうちの一つにおける図２の永久カレンダ機構を示しており、該中間配置を経由して、この機構は、その展開の間に図６の安定状態から次の安定状態へ引き続いて進む。
【図８】図３に類似している平面図であって、月の変更を伴う日の変更を示しており、該図は、二つの中間配置のうちの一つにおける図２の永久カレンダ機構を示しており、該中間配置を経由して、この機構は、その展開の間に図６の安定状態から次の安定状態へ引き続いて進む。
【図９】図３に類似している平面図であって、該図において、図２のカレンダ機構は、図６の安定状態の次に来る、また、うるう年の１０月１日に相当する安定状態にある。
【発明を実施するための形態】
【００２６】
図１において、本発明による腕時計は、それ自体が公知であり、また本発明に直接関連していないその腕時計ケース、その文字盤、および他の構成部材なしで表示されている。参照番号１は、本発明による永久カレンダ機構２の取り付けられる、ぜんまい仕掛けのムーブメントを示している。ギアトレイン３は、ぜんまい仕掛けのムーブメント１の時間可動装置４を歯車５につなぎ、該歯車はフィンガ６と一体になっている。
【００２７】
歯車５と同じように、フィンガ６は、一日につき一回の回転を行う。該フィンガは、作動レバー９を、この作動レバー９のキャッチ１０の反応を引き起こすことによって一日に一回操作するように設計されている。
【００２８】
ばね１２は、作動レバー９を、該作動レバーの各操作の後に待機位置に戻すために備えられる。ばね１２に加えて、作動レバー９は、ラック１３を備え、該ラックは、レバー２１に備わる相補的なラック２０と係合している。
【００２９】
レバー２１は、枢着される二つの爪２２を支えるものであって、永久カレンダ機構２の構成部材であるが、該永久カレンダ機構はまた、日可動装置２３、この日可動装置２３の安定角度位置を定義するジャンパ２４、月可動装置２５、この月可動装置２５と噛み合う１２個の歯から成る小歯車２６、ならびに小歯車２６の安定角度位置を定義するジャンパ３１も備える。針２７は、日可動装置２３と一体になっているものであるが、円形の目盛り（それ自体が公知であり非表示）に当日の日を示すために備えられており、該円形の目盛りは、時計の文字盤（やはり非表示）によって支えられる。針２８は、月可動装置２５と一体になっており、時計の文字盤によって支えられるクラウン（それ自体が公知であり非表示）の内部で、それぞれが９０°の角度の、四つのセクターのうちの一つを指定することによって、当年のタイプ、すなわちうるう年かそうでないかを示すために備えられる。針２９は、小歯車２６と一体になっており、時計の文字盤によって支えられる円形の目盛り（それ自体が公知であり非表示）に、当月を示すために備えられる。
【００３０】
変形例において、当日、当月、および当年のタイプである情報の全てまたは一部は、それぞれ、開口部のところを除いて文字盤によって隠される可動円板によって示されることができる。例えば、日の全数を担う円板は、日可動装置２３と一体になって、時計の文字盤に開けられる開口部のところで部分的に見ることができる。例として与えられる別の可能性によると、日可動装置２３はまた、欧州特許出願公開第１５８６９６２号明細書において開示される仕方で、表示装置に運動学的に結合されることもできる。
【００３１】
プッシュボタンまたはプッシュピース３０は、手動の命令を時々伝えるために備えられるものであって、針２７、２８、および２９によって示される日付の更新の間にこの月可動装置２５および日可動装置２３のそれぞれの位置を変えるために、レバー２１の一端４０ならびに月可動装置２５に作用することができる。
【００３２】
図２において見ることができるように、日可動装置２３は、日歯車一つだけで構成される。以下において、この日可動装置およびその日歯車は、同じ参照番号２３で示される。厚さに関しては、日可動装置２３は、一段しか有さない、つまり、前述の米国特許第４６７４８８９号明細書において記述される日可動装置より一段少ない。
【００３３】
同様に、月可動装置２５は、月歯車一つだけで構成される。以下において、この月可動装置およびその月歯車は、同じ参照番号２５で示される。厚さに関しては、月可動装置２５は、一段しか有さない、つまり、前述の米国特許第４６７４８８９号明細書において記述される月可動装置より一段少ない。
【００３４】
回転および揺動のための取付軸を除いて、永久カレンダ機構２は、平らである。そのレバー２１、その二つの爪２２、その日可動装置２３、そのジャンパ２４、その月可動装置２５およびその小歯車２６は、全て平らでかつ同一平面Ｐ1内に広がる。さらに、それらは全て、実質上同じ厚さｅを有し、該厚さはまた、回転および揺動用の取付軸を除けば永久カレンダ機構２の厚さでもある。したがって、日可動装置２３は、ただその日歯車２３だけの厚さを有し、一方、月可動装置２５は、ちょうどその月歯車２５の厚さを有する。永久カレンダ機構２は、このように、その厚さｅが一つの歯車の厚さに減らされる限りにおいて、とりわけ薄い。
【００３５】
図３からよく理解することができるように、レバー２１は、二つの向かい合った端部分４１および４２を有するが、該端部分は、日歯車２３の両側で実質上対面しており、また、この日歯車２３を１８０度回転以上に渡って取り囲む弓形の湾曲したアーム４３によってつながれている。レバー２１の揺動軸Ｘ1−Ｘ’1は、端部分４１において、この端部分４１が定義する端４０とラック２０との間を通る。もう一方の端部分４２は、月歯車２５に当接するように提供されるフィーラー４４で終わる。該もう一方の端部分は、さらに二つの爪２２を支えるが、該二つの爪は、揺動軸Ｘ1−Ｘ’1に平行な可動揺動軸Ｘ2−Ｘ’2を中心にして枢着されるものである。
【００３６】
より正確には、二つの爪２２は、円筒形の関節接合部４５によってレバー２１につながれているが、該円筒形の関節接合部は、平らであり、また平らな円筒形の収容場所４６および相補的な平らな円筒形のヘッド４７を有するものである。この円筒形のヘッド４７は、揺動軸Ｘ2−Ｘ’2であるその枢動軸を中心にして、円筒形の収容場所４６の中で枢動する。円筒形の収容場所４６は、端部分４２のカーブによって境界を定められており、半径方向の通路５３で、弓形のアーム４３の方向に半径方向に開いている。二つの爪２２の頸部４８は、この半径方向の通路５３から半径方向に入り込み円筒形の収容場所４６に至って、そして平らなヘッド４７によって延長される。
【００３７】
二つの爪２２は、平らなヘッド４７、頸部４８、戻しばね４９、ならびに二つの連続する爪フィンガ、すなわち上流の爪フィンガ５０および下流の爪フィンガ５１を定義する一体成形品であり、該二つの連続する爪フィンガは、両方とも日歯車２３を回転させることを目的としているが、しかし別個の時においてであり、このことはこれより先でより詳細に説明されるであろう。以下でまた付属の請求項において、用語「上流」および「下流」ならびに類似の用語は、二つの爪２２によって引っ掛けられまた駆動される歯の進行方向を参照するものである。ばね４９は、二つの爪２２を、フィーラー４４によって延長されるカーブ５２に寄りかかる、操作可能な位置に戻す。このフィーラー４４は、レバー２１の揺動軸Ｘ1−Ｘ’1を中心とする、一様な湾曲を有する。
【００３８】
日歯車２３は、ジャンパ２４によって安定される３１の連続する角度位置を有する。一つの日が、これらの安定される角度位置のそれぞれと関連している。日歯車２３が一段分枢動するとき、該日歯車はある安定角度位置から次の安定角度位置に進むが、これはある日のその翌日への通過に相当する。日歯車２３のある安定位置と関連している日は、日歯車２３がこの安定位置にあるときに、針２７によって示される。
【００３９】
日歯車２３は、外周縁６０、ならびに、それぞれの輪郭がこの外周縁６０によって形成される３１個の周囲の半径方向の歯６１、６２、および６４を有する歯車である。日歯車２３の３１個の周囲の歯の中で、第一のタイプの３０個の歯６１および６２はそれぞれ、実質上三角形の輪郭を有する。外周縁６０は、さらに、歯６１と第二のタイプの歯６４との間に見出される、Ｖ字形の刻み目６３を形成する。それぞれの歯６１または６２は、後面６５を有し、該後面は、後方に次第に広がることによってこの歯６１または６２の頂上から遠ざかっている。歯６４は、後面６６を有し、該後面は、Ｖ字形の刻み目６３の縁を形成し、また前方に次第に広がることによってこの歯６４の頂上から遠ざかっている。上流の爪フィンガ５０は、歯６１、６２、および６４のそれぞれを引っ掛けて、下流方向に一段分駆動することができる。下流の爪フィンガ５１は、歯６１および６２の後面６５の上でスライドし、該歯をこのように駆動することはできない。一方、下流の爪フィンガ５１は、Ｖ字形の刻み目６３の中に係合することができ、後面６６に引っ掛かけて、単数または複数の段の分だけ歯６４を駆動することができる。
【００４０】
日歯車２３の歯６１、６２、および６４の中で、ただ一つの歯のみが、月歯車２５を一段分駆動することができる作動フィンガを形成する。それは、６２によって参照される第一のタイプの歯であって、該歯は、その他の第一のタイプの歯６１よりもまた第二のタイプの歯６４よりも半径方向にさらに突き出ている。日歯車２３は、ひと月に一回転を実行する。その突き出ている歯６２は、したがって、月に一度の完全な回転を成し遂げ、またある月からその翌月への各移行の際に、月歯車２５を一段分作動させる。
【００４１】
月歯車２５は、４８個の周囲の半径方向の歯７０を有する歯車である。この月歯車２５の外周縁７１は、各周囲の歯７０の輪郭を形成する。該外周縁は、さらに、４８個の溝７２、７３、７４、および７５、すなわち歯７０と同数の溝の境界を定める。
【００４２】
溝７２から７５のそれぞれは、月歯車２５の外縁から延び、また二つの連続する歯７０の間に位置する。各溝７２、７３、７４、または７５は、一年のうちのある月と関連しており、またその深さは、その月の長さに応じている。溝７２から７５は、それらが相当する月と同じ順番に円周方向に追随する。
【００４３】
月歯車２５は、４８の連続する角度位置を有し、各角度位置は、ジャンパ３１による小歯車２６の安定化を介して安定される。一つの月が、これらの安定される角度位置のそれぞれと関連している。月歯車２５が一段分枢動するとき、該月歯車はある安定角度位置から次の安定角度位置に進むが、これはある月のその翌月への通過に相当する。月歯車２５の４８個の歯および４８個の溝は、四つの連続する年の周期に相当するが、そのうちの一つはうるう年である。
【００４４】
溝７２から７５は、以下を含む：
−非常に浅い深さの４８個の溝７２であって、それぞれが３１日の月と関連しているもの、
−浅い深さの１６個の溝７３であって、それぞれが３０日の月と関連しているもの、
−中間の深さの一つの溝７４であって、うるう年の２９日の２月と関連しているもの、および
−非常に深い三つの溝７５であって、それぞれが、うるう年ではない２８日の２月と関連しているもの。
【００４５】
フィーラー４４は、月歯車２５が一段ずつ回転するにつれて、溝７２から７５のそれぞれに、引き続いて挿入される。溝７３から７５のそれぞれは、その全長に渡って、フィーラー４４と同じ一様な湾曲を有する。溝７３から７５のそれぞれは、月歯車２５の外縁の、二つの連続する周囲の歯７０の間に位置する入口７７、ならびにこれらの二つの周囲の歯７０から離れて始まる広くなった部分７８を有する。
【００４６】
各溝７２、７３、７４、または７５は、フィーラー４４のための進行開始部ストッパ７６を形成する底部を有する。フィンガ６による作動レバー９の操作がないとき、ばね１２によって果たされる弾性復帰は、レバー２１の復帰の後に待機位置となるが、該待機位置において、フィーラー４４は、進行開始部ストッパ７６の一つに対して押し付けられる。レバー２１は、作動される前に、このように、進行開始部ストッパ７６によって、またはより正確には、この進行開始部ストッパ７６が位置する所の深さによって決定される進行開始位置を占める。要約すれば、レバー２１は、そのラック２０の作用で作動される時はいつも、常に同じ場所で終わるが始まりはその振幅のように可変である一つの角度進行を実行する。
【００４７】
図３から図９において、参照記号Ｒ1およびＲ2は、理解を容易にするために追加された配置の目印である。
【００４８】
図３において、月歯車２５は、うるう年の９月と関連している角度位置を占める。日歯車２３は、２９日と関連している角度位置を占める。相当する日付は、うるう年の９月２９日である。まだ図３において、作動は行われておらず、レバー２１は、その次の角度進行のためのその進行開始位置となるであろう待機位置にある。
【００４９】
図４において、日付は９月２９日から３０日に変わる。レバー２１は、そのラック２０を介して作動されて、図３のその進行開始位置からちょうど離れたところであり、一つの往きの進行の間に、矢印Ｂ1によって示されるように揺動する。このレバー２１は、そのとき、該レバーと一緒に二つの爪２２を引っ張るが、その下流の爪フィンガ５１が不活発で静止しているのに対して、その上流の爪フィンガ５０は、歯６１と係合して、日歯車２３を一段Ｐ1分だけ回転させて３０日と関連している位置に至らしめる。
【００５０】
図５において、ばね１２によって果たされる復帰のおかげで、レバー２１は、その往きの進行Ｂ1に連続する、その復帰の進行Ｂ2を実行して、その進行開始位置に戻る。上流の爪フィンガ５０は、戻しばね４９に対する二つの爪２２の揺動Ｂ3のおかげで、歯６１を引っ掛けることなく該歯を通り越す。
【００５１】
図６は、図５で示される復帰Ｂ2の後の、永久カレンダ機構２の状態を示す。この図６において、レバー２１は、図３において該レバーが占めていた進行開始位置に戻っている。日歯車２３は、３０日の日と関連している角度位置にある。月歯車は、図３内と同じ角度位置にある。相当する日付は、うるう年の９月３０日である。これは９月の最終日であるが、下流の爪フィンガ５１がＶ字形の刻み目６３にあり、フィーラー４４がうるう年の９月と関連している溝７３の底部まで到達していることが注目されるであろう。
【００５２】
図７において、新たな日付変更の第一の段階が行われる。レバーは、図６のその進行開始位置から始まる、揺動運動Ｂ4において駆動される。まだ図７において、下流の爪フィンガ５１は、Ｖ字形の刻み目６３の中で歯６４と係合しており、かつ日歯車を一段Ｐ2分だけ回転させる。
【００５３】
揺動Ｂ4は図８において続くが、該図において下流の爪フィンガ５１は、もはや日歯車２３に作用していない。対照的に、上流の爪フィンガ５０は、歯６１に引っ掛かり、日歯車２３を更なる一段Ｐ3分だけ枢動させる。今度は、この日歯車２３が、歯７０に作用するその突き出ている歯６２の仲介で、一段Ｐ4分だけ月歯車を作動させる。
【００５４】
図９は、揺動Ｂ4が完了し、ひいてはレバー２１が月歯車２５に対して押し戻された時点での、永久カレンダ機構２の状態を示している。この図９において、日歯車２３は、日付の１日と関連している位置にあり、一方、月歯車２５は、うるう年の１０月と関連している位置にある。相変わらず図９において、フィーラー４４が、３１日から成る１０月の月に相当する非常に浅い深さの溝７２の中に位置することが注目されるであろう。
【００５５】
日歯車２３が、月の末日以外の日と関連している位置に最初にあるとき、レバー２１の操作は、この日歯車２３に作用する上流の爪フィンガ５０のみの誘因となり、該上流の爪フィンガは日歯車を一段分回転させる。
【００５６】
日歯車２３が月の末日と関連している位置にあるとき、レバー２１の操作は、同様に、日歯車２３の移動を引き起こす。この移動が含む段数は、レバー２１の開始位置ひいてはフィーラー４４が最初に位置する溝７２、７３、７４、または７５の深さによって決まる。下流の爪フィンガ５１が、３１日から成る月の末日の終わりでのレバー２１の往きの運動の間にＶ字形の刻み目６３の中に引っ掛かるのが早ければ早いほど、日歯車２３はより多くの段数分だけ枢動するであろう。
【００５７】
月歯車２５がある月と関連している位置にあるとき、この月に関連している溝７２、７３、７４、または７５は、フィーラー４４の通り道に位置付けられており、またこの溝の底部によって形成される進行開始部ストッパ７６についても同様である。
【００５８】
月歯車２５が３１日の月と関連している位置にあるとき、フィーラー４４は、非常に浅い深さの溝７２に追い込まれる。この場合、月の末日の終わりのレバー２１の操作は、下流の爪フィンガ５１を除外して、上流の爪フィンガ５０だけの誘因となり、該上流の爪フィンガは、日歯車２３を移動させ、該日歯車はただ一段分のみ回転する。
【００５９】
月歯車２５が３０日の月と関連している位置にあるとき、フィーラー４４は、浅い深さの溝７３に追い込まれる。この場合、図６から図９に関して上にさらに述べられるように、月の末日の終わりのレバー２１の操作は、下流の爪フィンガ５１の誘因となり該下流の爪フィンガは日歯車２３を一段分回転させ、上流の爪フィンガ５０もまた、この日歯車２３を一段分回転させる。
【００６０】
月歯車２５が、うるう年の２月、すなわち２９日から成る月と関連している位置にあるとき、フィーラー４４は、中間の深さの溝７４に追い込まれる。この場合、月の末日の終わりのレバー２１の操作は、下流の爪フィンガ５１の誘因となり該下流の爪フィンガは日歯車２３を二段分回転させ、今度は上流の爪フィンガ５０が、この日歯車２３を一段分回転させる。
【００６１】
月歯車２５が、うるう年でない２月、すなわち２８日から成る月と関連している位置にあるとき、フィーラー４４は、非常に深い三つの溝７４のうちの一つに追い込まれる。この場合、月の末日の終わりのレバー２１の操作は、下流の爪フィンガ５１の誘因となり該下流の爪フィンガは日歯車２３を三段分回転させ、今度は上流の爪フィンガ５０が、この日歯車２３を一段分回転させる。
【００６２】
本発明は、先に記述された実施形態に限定されない。とりわけ、月歯車は、年の１２ヶ月と関連している１２個だけの溝を有することが可能であり、またそのような月歯車を備える年次カレンダ機構は、本発明を包含することができる。
【符号の説明】
【００６３】
６  作動フィンガ
２２  操作装置
２３  日可動装置
２５  月可動装置
５０  第一の爪フィンガ
５１  第二の爪フィンガ
６３  Ｖ字形の刻み目
【先行技術文献】
【特許文献】
【００６４】
【特許文献１】米国特許第４６７４８８９号明細書
【図１】
0006513560.tif 000002
【図２】
0006513560.tif 000003
【図３】
0006513560.tif 000004
【図４】
0006513560.tif 000005
【図５】
0006513560.tif 000006
【図６】
0006513560.tif 000007
【図７】
0006513560.tif 000008
【図８】
0006513560.tif 000009
【図９】
0006513560.tif 000010